(57)【要約】【課題】蓄電モジュールの外部で配線されるケーブルの配線の自由度を高めることができるようにした蓄電モジュールを提供する。【解決手段】本発明に係る蓄電モジュールは、蓄電素子と、該蓄電素子に重ね合わされた外装部材とを備えている。外装部材は、蓄電素子を覆う本体と、外装部材の本体の外面にケーブル固定部とを有している。ケーブル固定部は、結束部材又はケーブルを挿通可能な、互いに交差する複数の挿通孔を有する。【選択図】図３
2014203754.tif 000002
【特許請求の範囲】
【請求項１】
蓄電素子と、
該蓄電素子に重ね合わされた外装部材とを備え、
該外装部材は、
前記蓄電素子を覆う本体と、
外装部材の本体の外面に突出したケーブル固定部とを有し、
該ケーブル固定部は、
結束部材又はケーブルを挿通可能な、互いに交差する複数の挿通孔を有する
蓄電モジュール。
【請求項２】
前記ケーブル固定部は、前記外装部材の本体の外面から一体的に突出している
請求項１に記載の蓄電モジュール。
【請求項３】
ケーブル固定部を、三つ以上有し、
三つのケーブル固定部のうちの一つのケーブル固定部は、外装部材の本体の一端部側の中央部に配置され、
三つのケーブル固定部のうちの残りの二つのケーブル固定部は、外装部材の本体の他端部側で互いに間隔を空けて配置される
請求項１又は請求項２に記載の蓄電モジュール。
【請求項４】
前記三つのケーブル固定部のうちの残りの二つのケーブル固定部は、前記三つのケーブル固定部のうちの一つのケーブル固定部を基準に対称配置される
請求項３に記載の蓄電モジュール。
【請求項５】
前記外装部材は、バスバーを接続する正極の外部端子及び負極の外部端子を備え、
ケーブルがバスバーに対して交差して配線されている
請求項１乃至請求項４のいずれか一項に記載の蓄電モジュール。
【請求項６】
前記ケーブル固定部は、前記バスバーを回避する位置に設けられている
請求項５に記載の蓄電モジュール。
【請求項７】
蓄電素子を監視する制御基板を備え、
前記外装部材の本体は、通信ケーブル用の接続端子であって、制御基板に接続された接続端子を有する
請求項１乃至請求項６のいずれか１項に記載の蓄電モジュール。
【発明の詳細な説明】
【技術分野】
【０００１】
本発明は、電池セル（単電池）やキャパシタなどの蓄電素子と、この蓄電素子に重ね合わされた外装部材とを備えた蓄電モジュールに関する。詳しくは、本発明は、外装部材上に配線される通信用ケーブルやバスバーなどの電線、その他のケーブルを固定する機能を有する蓄電モジュールに関する。
【背景技術】
【０００２】
蓄電素子と、この蓄電素子に重ね合わされた外装部材とを備えた蓄電モジュールが知られている（例えば、特許文献１）。
【０００３】
この種の蓄電モジュールは、一方向に一列に整列され、かつ、互いに固定された複数の蓄電素子と、この複数の蓄電素子に重ね合わされた外装部材と、外装部材上に配線されたケーブルとを備えている。外装部材上には、ケーブルを保持するケーブル固定部が設けられている。
【０００４】
このケーブル固定部には、ケーブルを挿通する貫通孔が一方向に形成されている。したがって、このケーブル固定部が外装部材上に取り付けられると、ケーブルは、一方向にしか配線できない。換言すれば、従来のケーブル固定部は、ケーブルの配線の自由度が低いものとなっている。
【先行技術文献】
【特許文献】
【０００５】
【特許文献１】特開２０１３−５５０９号公報
【発明の概要】
【発明が解決しようとする課題】
【０００６】
そこで、本発明は、蓄電モジュールの外部で配線されるケーブルの配線の自由度を高めることができるようにした蓄電モジュールを提供することを課題とする。
【課題を解決するための手段】
【０００７】
本発明に係る蓄電モジュールは、
蓄電素子と、
該蓄電素子に重ね合わされた外装部材とを備え、
該外装部材は、
蓄電素子を覆う本体と、
外装部材の本体の外面に突出したケーブル固定部とを有し、
該ケーブル固定部は、
結束部材又はケーブルを挿通可能な、互いに交差する複数の挿通孔を有する。
【０００８】
かかる構成によれば、結束部材又はケーブルがケーブル固定部の挿通孔の挿通されることで、ケーブルをケーブル固定部に固定することができる。挿通孔が互いに交差するように複数の方向に形成されていることで、ケーブルは複数の方向に配線される。したがって、この蓄電モジュールは、ケーブルを配線する自由度を高めたものとなっている。なお、ケーブルとしては、通信用ケーブルだけでなく、バスバーなどの電線も含まれる。
【０００９】
また、本発明に係る蓄電モジュールの一態様として、
前記ケーブル固定部は、前記外装部材の本体の外面から一体的に突出している。
【００１０】
かかる構成によれば、本体部とケーブル固定部とが一体化されることにより、ケーブル固定部を本体部に組み付ける作業を解消することができる。
【００１１】
また、本発明に係る蓄電モジュールの他態様として、
ケーブル固定部は、三つ以上有し、
三つのケーブル固定部のうちの一つのケーブル固定部は、外装部材の本体の一端部側の中央部に配置され、
三つのケーブル固定部のうちの残りの二つのケーブル固定部は、外装部材の本体の他端部側で互いに間隔を空けて配置される
ようにすることができる。
【００１２】
かかる構成によれば、複数の蓄電モジュールを並べた蓄電装置において、ケーブルを蛇行するようにして、最短距離で配線することができる。すなわち、各蓄電モジュールは、三つ以上のケーブル固定部を有し、各ケーブル固定部が交差する複数の挿通孔を有しているため、隣り合っている蓄電モジュールに架け渡されたケーブルは、任意の方向を向けてケーブル固定部に的確に固定される。
【００１３】
この場合、
前記三つのケーブル固定部のうちの残りの二つのケーブル固定部は、前記三つのケーブル固定部のうちの一つのケーブル固定部を基準に対称配置される
ようにしてもよい。
【００１４】
かかる構成によれば、複数の蓄電モジュールを並べた蓄電装置において、一つのケーブル固定部を基準に残りの二つのケーブル固定部が対称配置されることにより、隣り合った蓄電モジュールの中央部に配置されたケーブル固定部同士が向き合い、間隔を空けて配置されたケーブル固定部同士が向き合う。このように配置されたケーブル固定部に固定するケーブルは、最短距離となるように配線することができる。
【００１５】
ここで、本発明に係る蓄電モジュールの別の態様として、
外装部材は、バスバーを接続する正極の外部端子及び負極の外部端子を備え、
ケーブルがバスバーに対して交差して配線されている。
【００１６】
かかる構成によれば、ケーブルがバスバーに対して交差して配線されていることにより、バスバーを流れる電流によって磁場が発生したとしても、ケーブルが磁場の影響を受けにくく、したがって、ケーブルで送られている信号にノイズが乗りにくいようにすることができる。
【００１７】
この場合、
ケーブル固定部は、前記バスバーを回避する位置に設けられていてもよい。
【００１８】
かかる構成によれば、ケーブル固定部がバスバーを回避する位置に設けられることにより、バスバー上にケーブル固定部を設ける場合よりも、ケーブルの固定位置を低くすることができる。
【００１９】
また、本発明に係る蓄電モジュールのさらに別の態様として、
蓄電素子を監視する制御基板を備え、
前記外装部材の本体は、通信ケーブル用の接続端子であって、制御基板に接続された接続端子を有する
ようにすることができる。
【００２０】
かかる構成によれば、外装部材内に制御基板が収容され、外装部材の本体部が通信ケーブル用の接続端子を有することにより、隣り合った蓄電モジュールの各接続端子に通信ケーブルを接続することができる。
【発明の効果】
【００２１】
以上のように、本発明によれば、蓄電モジュールの外部で配線されるケーブルの配線の自由度を高めることができるようにした蓄電モジュールを提供することができるという優れた効果を奏し得る。
【図面の簡単な説明】
【００２２】
【図１】図１は、本発明に係る蓄電モジュールの一実施形態である電池モジュールの分解斜視図を示す。
【図２】図２は、同電池モジュールの要部の斜視図を示す。
【図３】図３は、同電池モジュールを複数台隣り合わせた蓄電装置の斜視図を示す。
【図４】図４は、同電池モジュールを複数台隣り合わせた、図３と異なる蓄電装置の斜視図を示す。
【図５】図５は、同電池モジュールの分解斜視図を示す。
【発明を実施するための形態】
【００２３】
以下、本発明に係る蓄電モジュールの一実施形態である電池モジュールについて、図面を参酌しつつ説明する。
【００２４】
図１、図５に示すように、電池モジュール１は、第一方向に整列される複数の電池セル３と、隣り合う電池セル３間及び第一方向における複数の電池セル３の両側にそれぞれ配置される複数のスペーサ５と、複数の電池セル３及び複数のスペーサ５を保持してパッケージ化する保持体としてのフレーム７と、複数の電池セル３の電圧、電流又は温度の少なくとも一つを電池セル３毎に監視するセル監視回路（ＣＭＵ：Cell Monitor Unit）モジュール９とを備えている。
【００２５】
なお、以下においては、便宜上、第一方向をＸ方向（各図に示された直交軸のうちのＸ軸方向）といい、第一方向と直交する第二方向をＹ方向（各図に示された直交軸のうちのＹ軸方向）といい、第一方向及び第二方向と直交する第三方向をＺ方向（各図に示された直交軸のうちのＺ軸方向）という。各図においては、Ｘ方向、Ｙ方向、Ｚ方向のそれぞれ一方側に対し、Ｘ、Ｙ、Ｚの記号を付している。なお、Ｚ方向が鉛直方向に置かれた場合、Ｚ方向は上下方向となり、Ｙ方向は左右方向、Ｘ方向は前後方向となる。
【００２６】
電池セル３は、図５に示すように、開口部を有するケース本体３１と、該ケース本体３１の開口部を塞いで密閉する蓋体３２とで構成されるケース３０を備えている。ケース３０内には、互いに絶縁された正極板と負極板とを含む電極体（図示せず）が収容されている。電池セル３は、Ｘ方向に扁平な角形電池である。
【００２７】
スペーサ５は、合成樹脂製であり、絶縁性を有している。スペーサ５は、スペーサ本体５０と、該スペーサ本体５０からＸ方向に延出し、Ｘ方向において該スペーサ本体５０と対向する電池セル３の外周端部を保持する保持部５１とを備えている。
【００２８】
フレーム７は、Ｘ方向における複数の電池セル３の両側に配置され且つＸ方向において複数の電池セル３及び複数のスペーサ５を挟み込む一対の終端部材７０（いわゆるエンドプレート）と、該一対の終端部材７０同士を連結し、複数の電池セル３及び複数のスペーサ５を一体に緊締する連結部材７５とを備えている。連結部材７５は、Ｘ方向に沿って延びて互いに間隔を有して平行する一対の横梁部７６と、該一対の横梁部７６のＸ方向における一端部同士及び他端部同士を連結する一対の縦梁部７７とを備え、全体として、矩形の枠形状を呈している。
【００２９】
終端部材７０は、例えば鋳造によって形成された、例えばアルミなどの金属製である。終端部材７０は、終端部材本体７１と、該終端部材本体７１の下部からＸ方向外方に突出する脚部７２とを備えている。終端部材本体７１は、スペーサ本体５０と同様、電池セル３のケース３０がＸ方向から見て矩形状であるのに対応して、矩形状に形成されている。終端部材本体７１は、矩形状の枠部と、該枠部内に形成された格子形状のリブとで構成され、Ｘ方向にある程度の厚みを有しながらも、軽量であり、剛性を有している。また、終端部材７１の脚部７２は、Ｙ方向に互いに間隔を有して一対設けられる。各脚部７２には、ボルト（図示しない）のネジ部を通すための貫通孔（採番せず）がＺ方向に沿って形成されている。
【００３０】
連結部材７５は、Ｙ方向における複数の電池セル３の両側に一対設けられている。すなわち、連結部材７５は、Ｙ方向の一方側から複数の電池セル３に対向配置される連結部材７５と、Ｙ方向の他方側から複数の電池セル３に対向配置される連結部材７５とを備えている。
【００３１】
セル監視回路モジュール９は、外装部材であり、回路ケース本体９０にセル監視回路を実装した制御基板９３を収容したものである。回路ケース本体９０は、開口部を有するケース９１と、該ケース９１の開口部を塞いで密閉する蓋体９２とを備えている。ケース９１は、矩形状の底板９１０と、該底板９１０の周縁から立設された周壁部９１１とを備えている。なお、蓋体９２も矩形状に形成されている。
【００３２】
以下、回路ケース本体９０のＸ方向に延びる一方の長辺を第一端９０ａという。この第一端９０ａと平行に向き合ってＸ方向に延びる他方の長辺を第二端９０ｂという。第一端９０ａの一端と第二端９０ｂの一端とを結ぶＹ方向に延びる一方の短辺を第三端９０ｃという。第一端９０ａの他端と第二端９０ｂの他端とを結び、第三端９０ｃと平行に向き合ってＹ方向に延びる他方の短辺を第四端９０ｄという。
【００３３】
実装した制御基板９３は、接続端子である入力コネクタ部９３０と接続端子である出力コネクタ部９３１とを備えている。入力コネクタ部９３０と出力コネクタ部９３１には、電池監視回路（ＢＭＵ：Battery Management Unit）１０（図３参照）に接続される通信ケーブル２の一端に備えられたコネクタ部（図示しない）が結合される。出力コネクタ部９３１は、回路ケース本体９０の外部から入力コネクタ部が結合される都合上、回路ケース本体９０の外部に開放されている必要がある。そのため、ケース９１の周壁部９１１のうち、出力コネクタ部９３１に対応する箇所は、切り欠かれて開口されている。
【００３４】
蓋体９２は、ケース９１の周壁部９１１がＺ方向に形成する開口部を塞ぐために、該周壁部９１１の開口部に着脱自在に嵌合される。図１に示す如く、蓋体９２は、一対の外部端子３５の配置に対向した箇所、すなわち、第一端９０ａと第三端９０ｃとの交点及び第一端９０ａと第四端９０ｄとを含む角部には、外部端子３５を露出させるための開口部９２０を備えるとともに、通常は外部端子３５が露出しないよう、開口部９２０を開閉自在に閉鎖するキャップ９２１を備えている。
【００３５】
そして、蓋体９２の外面からは、通信ケーブル２を固定するケーブル固定部９５が複数個所で突出している。ケーブル固定部９５は、蓋体９２と一体成形されている。ケーブル固定部９５は、例えば、３箇所で蓋体９２の外面から突出している。この場合は、第一ケーブル固定部９５ａが第一端９０ａの中心部から突出している。すなわち、第一ケーブル固定部９５ａは、蓋体９２の第一端９０ａであって、電池セル３の積層方向（Ｘ方向）の真ん中から突出している。また、蓄電モジュール９が一方の終端部材７０側に偏って配置される場合がある。このような場合において、第一ケーブル固定部９５ａは、一方の終端部材７１の脚部７２の貫通孔と他方の終端部材７１の脚部７２の貫通孔とを結ぶ線の、Ｘ方向真ん中の位置で第一ケーブル固定部９５ａを蓋体９２の外面から突出させる。
【００３６】
また、第二ケーブル固定部９５ｂが第二端９０ｂの第三端９０ｃ付近から突出している。また、第三ケーブル固定部９５ｃが第二端９０ｂの第四端９０ｄ付近から突出している。したがって、第二ケーブル固定部９５ｂと第三ケーブル固定部９５ｃは、第一ケーブル固定部９５ａを基準に対称配置される。すなわち、第一ケーブル固定部９５ａと第二ケーブル固定部９５ｂとの距離は、第一ケーブル固定部９５ａと第三ケーブル固定部９５ｃとの距離と等しくされている。また、第一ケーブル固定部９５ａと第二ケーブル固定部９５ｂとの距離、及び、第一ケーブル固定部９５ａと第三ケーブル固定部９５ｃとの距離は、第二ケーブル固定部９５ｂと第三ケーブル固定部９５ｃとの距離よりも短くされている。
【００３７】
そして、ケーブル固定部９５には、例えば帯状の結束部材２０（図２参照）を挿通する挿通孔９５１が形成されている。挿通孔９５１は、図２にも示すようにケーブル固定部９５が突出するＺ方向に対して交差するＸ方向とＹ方向の交差する二方向に形成される。
【００３８】
以上の構成からなる電池モジュール１は、間にスペーサ５が配置されつつ複数の電池セル３がＸ方向に積層され、一端及び他端にある電池セル３の外側にもスペーサ５が配置され、さらにその両側に一対の終端部材７０が配置され、一対の終端部材７０間にＸ方向の圧縮力が掛けられた状態で、一対の連結部材７５が複数の電池セル３にＹ方向から配置されるとともに、連結部材７５の各貫通孔７７１に挿通されたボルト８５のネジ部が終端部材７０の各雌ネジ７１０に螺入され、複数の電池セル３及び複数のスペーサ５がフレーム７とともに一体化された後、セル監視回路モジュール９が複数の電池セル３にＺ方向から配置されて取り付けられることによって、完成する。
【００３９】
この電池モジュール１は、例えば図３に示すように、複数台（図３では４台）が並べられ、蓄電装置Ｂとして使用される。図３に示した蓄電装置Ｂは、第一電池モジュール１ａ、第二電池モジュール１ｂ、第三電池モジュール１ｃがＹ方向に並べられ、第四電池モジュール１ｄが第三電池モジュール１ｃに対してＸ方向に並べられている。ただし、この蓄電装置Ｂは、隣り合った第一電池モジュール１ａ、第二電池モジュール１ｂ、第三電池モジュール１ｃの連結部材７５が向き合い、第三電池モジュール１ｃ、第四電池モジュール１ｄの終端部材７０が向き合った状態となっている。
【００４０】
そして、第一電池モジュール１ａの負極の外部端子と第二電池モジュール１ｂの正極の外部端子とがバスバー８によって電気的に接続されている。また、第二電池モジュール１ｂの負極の外部端子と第三電池モジュールの正極の外部端子とがバスバー８によって電気的に接続されている。ケーブル固定部９５は、このバスバー８を回避する位置に設けられる。なお、バスバー８は、導線性の芯体と、この芯体を被覆する絶縁体とを有している。
【００４１】
そして、隣り合っている電池モジュール１ａ，１ｂ，１ｃ，１ｄの入力コネクタ部９３０及び出力コネクタ部９３１は、交互に反対方向に向けられている。そして、この電池モジュール１ａ，１ｂ，１ｃ，１ｄの入力コネクタ部９３０及び出力コネクタ部９３１には、それぞれ第一〜第六通信ケーブル２ａ〜２ｆのコネクタ部（図示せず）が接続される。
【００４２】
すなわち、第一通信ケーブル２ａがＢＭＵ１０の出力端子（図示せず）と第一電池モジュール１ａの入力端子９３０とに接続される。第二通信ケーブル２ｂが第一電池モジュール１ａの出力端子９３１と第二電池モジュール１ｂの入力端子９３０とに接続される。第三通信ケーブル２ｃが第二電池モジュール１ｂの出力端子９３１と第三電池モジュール１ｃの入力端子（図示せず）とに接続される。第四通信ケーブル２ｄが第三電池モジュール１ｃの出力端子（図示せず）と第四電池モジュール１ｄの入力端子９３０とに接続される。第五通信ケーブル２ｅが第四電池モジュール１ｄの出力端子９３１とＢＭＵ１０の入力端子（図示せず）とに接続される。
【００４３】
そして、第二通信ケーブル２ｂは、第一電池モジュール１ａの第三ケーブル固定部９５ｃにＸ方向に固定されるとともに、第一電池モジュール１ａの第一ケーブル固定部９５ａにＹ方向に固定される。いずれも、第二通信ケーブル２ｂは、結束部材２０（図２参照）がケーブル固定部９５の挿通孔９５１に挿通されることで固定される（以下、結束部材２０の説明は省略する）。また、第二通信ケーブル２ｂは、第二電池モジュール１ｂの第一ケーブル固定部９５ａにＹ方向に固定されるとともに、第二電池モジュール１ｂの第三ケーブル固定部９５ｃにＸ方向に固定される。
【００４４】
そして、第三通信ケーブル２ｃは、第二電池モジュール１ｂの第三ケーブル固定部９５ｃにＹ方向に固定されるとともに、第三電池モジュール１ｃの第三ケーブル固定部９５ｃにＹ方向に固定され、第三電池モジュール１ｃの第一ケーブル固定部９５ａと第二ケーブル固定部９５ｂとにＸ方向に固定される。また、第三通信ケーブル２ｃは、第二電池モジュール１ｂと第三電池モジュール１ｃとを電気的に接続したバスバー８に対して直交している。そして、第四通信ケーブル２ｄは、第四電池モジュール１ｄの各ケーブル固定部９５ｂ，９５ａ，９５ｃにＸ方向に固定されている。
【００４５】
このようにケーブル固定部９５には、Ｘ方向とＹ方向の交差する二方向に挿通孔９５１が形成されているため、通信ケーブル２を二方向に向け、結束部材２０によって固定することができる。また、第二電池モジュールの第三ケーブル固定部９５ｃには、第二通信ケーブル２ｂがＸ方向に固定され、第三通信ケーブル２ｃＹ方向に固定されている。すなわち、この電池モジュール１にあっては、一つのケーブル固定部９５において、通信ケーブル２を二方向に固定することができる。
【００４６】
そして、通信ケーブル２は、最も近接しているケーブル固定部９５とケーブル固定部９５とに架け渡されるようにして配線される。これを繰り返すことで、複数のケーブル２は、蛇行して配線される。最短距離配線された通信ケーブル２は、大きく振動しないため、通信ケーブル２が断線したり、コネクタが外れたりしたりしにくくなっている。
【００４７】
そして、ＢＭＵ１０は、各電池モジュール１の電圧や電流などを検出することで、異常状態になっている電池セル３を検知する。多数の電池セル３を接続する場合、バスバー８に流れる電流は、大きくなる。したがって、バスバー８の周辺の磁場も大きくなる。しかし、本実施形態において、通信ケーブル２は、バスバー８に対して直交する方向に配線されているため、通信ケーブル２を流れている信号は、バスバー８の磁場の影響を受けにくく、信号にノイズなどが乗りにくくなっている。したがって、ＢＭＵ１０は、各電池モジュール１の状態を的確に把握する。また、蓄電装置Ｂが例えば自動車に搭載される場合は、さらに多数の通信ケーブル２が配線される。したがって、このような場合は、通信ケーブル２の配線の効率性が要求される。
【００４８】
したがって、通信ケーブル２は、最も近接していないケーブル固定部９５とケーブル固定部９５とに架け渡されるように配線してもよいし、ケーブル固定部９５に対して同一方向に固定してもよい。この場合について、図４に示した蓄電装置Ｂについて説明する。図４に示した蓄電装置Ｂは、第一、第二、第三の電池モジュール１ａ，１ｂ，１ｃをＹ方向に並べた構成となっている。なお、隣り合った電池モジュール１ａ，１ｂ，１ｃの連結部材７５が向き合った状態となっている。
【００４９】
この蓄電装置Ｂは、第一通信ケーブル２ａがＢＭＵ１０の出力端子（図示せず）と第一電池モジュール１ａの入力端子９３０とに接続される。第二通信ケーブル２ｂが第一電池モジュール１ａの出力端子９３１と第二電池モジュール１ｂの入力端子９３０とに接続される。第三通信ケーブル２ｃが第二電池モジュールの出力端子９３１と第三電池モジュールの入力端子（図示せず）とに接続される。第四通信ケーブル２ｄが第三電池モジュールの出力端子とＢＭＵ１０の入力端子（図示せず）とに接続される。
【００５０】
第二通信ケーブル２ｂは、第一電池モジュール１ａの第一ケーブル固定部９５ａにＸ方向に固定される。第三通信ケーブル２ｃは、第二電池モジュール１ｂの第二ケーブル固定部９５ｂ及び第三電池モジュール１ｃの第二ケーブル固定部９５にＸ方向に固定される。したがって、この配線パターンの場合は、第二ケーブル固定部９５ｂが使用されない。また、通信ケーブル２は、すべてＸ方向でケーブル固定部９５に固定されている。
【００５１】
いずれにしても、この蓄電装置Ｂは、複数の電池モジュール１が通信ケーブル２によってデイジチェーンのように接続されたものとなる。したがって、この蓄電装置Ｂは、各電池モジュール１内の電池セル３の状態がＢＭＵ１０によって認識され、電池セル３が異常状態となっていることを検知することができる。そして、通信ケーブル２がケーブル固定部９５に固定されていることで、通信ケーブル２は、他の部品などに引っ掛かりにくく、したがって、断線などすることがない。
【００５２】
また、以上の構成からなる電池モジュール１では、ケーブル固定部９５の挿通孔９５１が互い交差するように複数有することで、通信ケーブル２をケーブル固定部９５に複数の方向に固定することができる。したがって、この電池モジュール１は、通信ケーブル２を配線する自由度を高めたものとされている。
【００５３】
また、以上の構成からなる電池モジュール１では、通信ケーブル２がバスバー８に対して交差して配線されていることにより、バスバー８を流れる電流によって磁場が発生したとしても、通信ケーブル２が磁場の影響を受けにくく、したがって、通信ケーブル２で送られている信号にノイズが乗りにくいようにすることができる。
【００５４】
また、以上の構成からなる電池モジュール１では、ケーブル固定部９５がバスバー８を回避する位置に設けられることにより、バスバー８上にケーブル固定部９５を設ける場合よりも、通信ケーブル２の固定位置を低くすることができる。
【００５５】
また、以上の構成からなる電池モジュール１では、ケーブル固定部９５が回路ケース９０と一体化されていることにより、ケーブル固定部９５を回路ケース９０に組み付ける作業を解消することができる。
【００５６】
また、以上の構成からなる電池モジュール１を複数並べた蓄電装置Ｂにおいて、通信ケーブル２を蛇行するようにして、最短距離で配線することができる。すなわち、各電池モジュール１は、第１、第２、第３ケーブル固定部９５ａ，９５ｂ，９５ｃを有し、各ケーブル固定部９５ａ，９５ｂ，９５ｃが交差する複数の挿通孔９５１を有しているため、通信ケーブル２は、任意の方向を向けてケーブル固定部９５ａ，９５ｂ，９５ｃに的確に固定される。
【００５７】
また、以上の構成からなる電池モジュール１を複数並べた蓄電装置Ｂにおいて、隣り合った電池モジュール１の中央部に配置されたケーブル固定部９５同士が向き合い、間隔を空けて配置されたケーブル固定部９５同士が向き合い、このケーブル固定部９５にケーブルを最短距離で配線して固定することができる。
【００５８】
また、以上の構成からなる電池モジュール１では、回路ケース本体９０内に制御基板９３が収納され、回路ケース本体９０が通信ケーブル２用の接続端子を有することにより、隣り合った電池モジュール１の各接続端子に通信ケーブル２を接続することができる。
【００５９】
尚、本発明に係る蓄電モジュールは、上記実施形態に限定されるものではなく、本発明の要旨を逸脱しない範囲で種々の変更が可能である。
【００６０】
例えば、上記実施形態においては、外装部材としてセル監視回路を収容する回路ケース本体９０を使用する場合について説明した。しかしながら、本発明が対象とする回路モジュールは、セル監視回路モジュール９に限定されるものではなく、これ以外の回路モジュールも含む。さらに、外装部材は、回路ケース本体９０でなく、単なるプレートであってもよい。
【００６１】
また、上記実施形態においては、挿通孔９５１は、Ｘ方向とＹ方向との二方向に貫通する場合について説明した。しかしながら、挿通孔９５１は、Ｘ方向又はＹ方向以外の三方向以上に貫通してもよい。さらに、挿通孔９５１は、Ｘ方向又はＹ方向に途中まで形成され、その途中からＺ方向に形成することでＬ字状に貫通してもよい。
【００６２】
また、上記実施形態においては、ケーブル固定部９５を三つ有する場合について説明した。しかしながら、ケーブル固定部９５は四つ以上有していていもよいし、二つだけ有していてもよい。また、ケーブル固定部９５は、第一ケーブル固定部９５ａを基準に第二ケーブル固定部９５ｂと第三ケーブル固定部９５ｃを対称配置される場合について説明したが、第二ケーブル固定部９５ｂと第三ケーブル固定部９５ｃは非対称に配置されてもよい。
【００６３】
また、上記実施の形態においては、ケーブル固定部９５がケース９１と一体成形される場合について説明した。しかしながら、ケーブル固定部９５は、ケース９１と別体であってもよい。
【００６４】
また、上記実施形態においては、ケーブルとして通信ケーブル２を使用する場合について説明した。しかしながら、ケーブルは、バスバーなど電線であってもよい。特に、ケーブルが電線であれば、ケーブル（電線）は、バスバーに対して交差して配線する必要はない。
【００６５】
また、上記実施形態においては、４台又は３台の電池モジュール１を並べた蓄電装置Ｂについて説明した。しかしながら、電池モジュール１は、２台であっても、５台以上並べてもよいことはいうまでもない。
【００６６】
また、上記実施形態においては、リチウムイオン二次電池について説明した。しかしながら、電池の種類や大きさ（容量）は任意である。
【００６７】
また、本発明は、リチウムイオン二次電池に限定されるものではない。本発明は、種々の二次電池、その他、一次電池や、電気二重層キャパシタ等のキャパシタにも適用可能である。
【符号の説明】
【００６８】
１…電池モジュール、２…通信ケーブル、３…電池セル、５…スペーサ、７…フレーム、８…バスバー、９…セル監視回路（ＣＭＵ）モジュール、９０…外装部材（回路ケース）、９１…ケース、９５…ケーブル固定部、９５１…挿通孔
【図１】
2014203754.tif 000003
【図２】
2014203754.tif 000004
【図３】
2014203754.tif 000005
【図４】
2014203754.tif 000006
【図５】
2014203754.tif 000007